(57)【要約】【課題】既存の会議テーブルを無駄にすることなく低費用で立ち会議用テーブルを実現する手段を提供する。【解決手段】テーブル脚延長用器具１は下部構成部１２と、下部構成部１２の上方から差し込まれる上部構成部１１と、上部構成部１１と下部構成部１２とを連結する螺子アセンブリ１３とを備えている。上部構成部１１の上部は中空の正方形柱であり、着座用の折りたたみ式の会議用テーブルの脚が上方から挿入される。そのようにしてテーブル脚延長用器具１が各々の脚に取り付けられた会議用テーブルは、床面上に配置された場合、天板の高さが立ち会議用に適した高さとなる。【選択図】図１
2011083337.tif 000002
【特許請求の範囲】
【請求項１】
テーブルが有する複数の脚のうちの任意の１の脚が挿入される筒状の脚受け部と、
前記脚受け部の前記１の脚が挿入される側と反対側の端部から前記１の脚の挿入の方向と同じ方向に延伸する延長脚部と
を備え、
前記延長脚部の前記延伸の方向の長さが２５０ミリメートル以上かつ４００ミリメートル以下であり、
前記複数の脚の各々に関し当該脚が前記脚受け部に挿入されることにより当該脚に装着され、当該装着を行わない場合と比較し、前記テーブルを床面上に配置した状態の前記テーブルの天板の高さを前記延長脚部の前記延伸の方向の長さだけ高くする
テーブル脚延長用器具。
【請求項２】
前記脚受け部の長手方向に垂直な断面は正方形状の枠であり、当該正方形状の枠の内側を構成する正方形の一辺の長さは２５ミリメートル以上かつ３５ミリメートル以下である
請求項１に記載のテーブル脚延長用器具。
【請求項３】
前記脚受け部の長手方向の長さは１００ミリメートル以上である
請求項１または２に記載のテーブル脚延長用器具。
【請求項４】
前記延長脚部の長手方向の長さを調整する機構を備える
請求項１乃至３のいずれかに記載のテーブル脚延長用器具。
【請求項５】
前記脚受け部に挿入された前記テーブルの脚を、前記脚受け部に固定させる機構を備える
請求項１乃至４のいずれかに記載のテーブル脚延長用器具。
【請求項６】
前記延長脚部は、長手方向の前記脚受け部と連結する側と反対側の端部に長手方向の軸まわりに旋回可能なキャスター部を有し、
前記キャスター部は、前記キャスター部が有する車輪の回転および前記軸まわりの前記キャスター部の旋回を抑止する機構を有する
請求項１乃至５のいずれかに記載のテーブル脚延長用器具。
【発明の詳細な説明】
【技術分野】
【０００１】
本発明は、立ち会議用のテーブルに関する。
【背景技術】
【０００２】
近年、企業等における会議の効率を高めるために、立ち会議という形式の会議が注目されている。
【０００３】
立ち会議は、文字通り参加者が立った状態で行う会議である。立ち会議が普及するに伴い、立ち会議用のテーブルも世の中で広く使用されるようになってきた。非特許文献１は、天板下のレバーの操作により、天板が無段階で床面から７００ミリメートル以上かつ１０５０ミリメートル以下の高さの範囲内で昇降可能なテーブルを開示している。天板の床面からの高さが概ね９００ミリメートル以上であれば、立ち会議を行うテーブルとして適している。
【０００４】
また、非特許文献２は、通常の折りたたみ式のテーブルの脚に取り付けて当該脚の長さを嵩上げし、立ち会議用のテーブルを構成するための支柱を開示している。
【先行技術文献】
【非特許文献】
【０００５】
【非特許文献１】[online]、コクヨファーニチャー株式会社、[平成21年10月9日検索]、インターネット〈ＵＲＬ：http://www.kokuyo-furniture.co.jp/viewrise/concept.html〉
【非特許文献２】[online]、株式会社アンゼン、[平成21年10月9日検索]、インターネット〈ＵＲＬ：http://www31.ocn.ne.jp/~anzen/tachikaigi.htm〉
【発明の概要】
【発明が解決しようとする課題】
【０００６】
上述の非特許文献１のテーブルは、一般的に考えて高価であることから、従来のテーブルの代わりに購入することは、当該購入を行う企業等の負担となる。また、当該テーブルを購入すれば、従来のテーブルが無駄になってしまうという問題もある。
【０００７】
上述の非特許文献２の支柱は、複数の脚に取り付ける支柱が一体に成形されており、その結果として当該取り付け作業が容易ではないという問題がある。また、上述の非特許文献２の支柱は、取り付けられる複数の脚の間の距離、すなわちテーブルの奥行きが異なれば、それらのテーブルの各々に応じたサイズのものを準備する必要がある。
【０００８】
そこで、本発明は、既存の会議テーブルを無駄にすることなく低費用で立ち会議用テーブルを実現する手段を提供することを目的とする。
【課題を解決するための手段】
【０００９】
本発明は、上記の目的に鑑みて想到されたものであり、
テーブルが有する複数の脚のうちの任意の１の脚が挿入される筒状の脚受け部と、
前記脚受け部の前記１の脚が挿入される側と反対側の端部から前記１の脚の挿入の方向と同じ方向に延伸する延長脚部と
を備え、
前記延長脚部の前記延伸の方向の長さが２５０ミリメートル以上かつ４００ミリメートル以下であり、
前記複数の脚の各々に関し当該脚が前記脚受け部に挿入されることにより当該脚に装着され、当該装着を行わない場合と比較し、前記テーブルを床面上に配置した状態の前記テーブルの天板の高さを前記延長脚部の前記延伸の方向の長さだけ高くする
テーブル脚延長用器具
を提供する（第１の実施態様）。
【００１０】
また、上記の第１の実施態様において、
前記脚受け部の長手方向に垂直な断面は正方形状の枠であり、当該正方形状の枠の内側を構成する正方形の一辺の長さは２５ミリメートル以上かつ３５ミリメートル以下である
構成を採用してもよい（第２の実施態様）。
【００１１】
また、上記の第１または２の実施態様において、
前記脚受け部の長手方向の長さは１００ミリメートル以上である
構成を採用してもよい（第３の実施態様）。
【００１２】
また、上記の第１乃至３のいずれかの実施態様において、
前記延長脚部の長手方向の長さを調整する機構を備える
構成を採用してもよい（第４の実施態様）。
【００１３】
また、上記の第１乃至４のいずれかの実施態様において、
前記脚受け部に挿入された前記テーブルの脚を、前記脚受け部に固定させる機構を備える
構成を採用してもよい（第５の実施態様）。
【００１４】
また、上記の第１乃至５のいずれかの実施態様において、
前記延長脚部は、長手方向の前記脚受け部と連結する側と反対側の端部に長手方向の軸まわりに旋回可能なキャスター部を有し、
前記キャスター部は、前記キャスター部が有する車輪の回転および前記軸まわりの前記キャスター部の旋回を抑止する機構を有する
構成を採用してもよい（第６の実施態様）。
【発明の効果】
【００１５】
本発明の第１の実施態様にかかるテーブル脚延長用器具によれば、通常のテーブルの脚の各々を本発明にかかるテーブル脚延長用器具に挿入することにより、当該脚の長さを延長できるため、既存のテーブルを容易に立ち会議用のテーブルに変えることができる。
【００１６】
また、本発明の第２の実施態様にかかるテーブル脚延長用器具によれば、広く普及している折りたたみ式の会議用テーブルの脚（約２６ミリメートル四方の正方形）に取り付け可能である。
【００１７】
また、本発明の第３の実施態様にかかるテーブル脚延長用器具によれば、上述の脚受け部の長手方向の長さが１００ミリメートル以上と十分な長さを有するので、当該脚受け部に挿入されたテーブルの脚が容易に当該脚受け部から外れたり、テーブルの脚とテーブル脚延長用器具との接続部分において大きく屈曲したりする、という不都合が生じない。
【００１８】
また、本発明の第４の実施態様にかかるテーブル脚延長用器具によれば、テーブル脚延長用器具の取り付けられたテーブルの高さを調整可能である。
【００１９】
また、本発明の第５の実施態様にかかるテーブル脚延長用器具によれば、脚受け部の内側のサイズに比較して細いサイズの脚に用いた場合であっても、当該脚を当該脚受け部にしっかりと固定させることができる。
【００２０】
また、本発明の第６の実施態様にかかるテーブル脚延長用器具によれば、キャスター部を有さない既存のテーブルを、ブレーキ機能付きのキャスター部を有する立ち会議用のテーブルに変えることができる。
【図面の簡単な説明】
【００２１】
【図１】図１は、本発明の実施形態にかかるテーブル脚延長用器具を示した図である。
【図２】図２は、本発明の実施形態にかかるテーブル脚延長用器具の上部構造を示した図である。
【図３】図３は、本発明の実施形態にかかるテーブル脚延長用器具の下部構造を示した図である。
【図４】図４は、本発明の実施形態にかかるテーブル脚延長用器具の螺子アセンブリを示した図である。
【図５】図５は、本発明の実施形態の一変形例にかかるテーブル脚延長用器具の脚の固定機構を示した図である。
【図６】図６は、本発明の実施形態の一変形例にかかるテーブル脚延長用器具の延長脚部の長さ調整機構を示した図である。
【発明を実施するための形態】
【００２２】
（実施形態）
以下、本発明の一具体例である実施形態を、図面を用いて説明する。図１は、本実施形態にかかるテーブル脚延長用器具１を示した図（正面図）である。テーブル脚延長用器具１はテーブルが有する複数の脚の各々に取り付けられ、テーブルの脚を延長するための器具である。以下に述べるテーブル脚延長用器具１およびその構成部の説明において「上」もしくは「下」という場合、テーブルに取り付けられた状態におけるそれらの上もしくは下を意味する。
【００２３】
テーブル脚延長用器具１は、上部構成部１１と、上部構成部１１に固着される下部構成部１２と、上部構成部１１と下部構成部１２とを螺子止めする螺子アセンブリ１３とを備えている。
【００２４】
図２は上部構成部１１を示した図である。なお、図２（ａ）は正面図、図（ｂ）は上面図である。上部構成部１１は、例えばステンレス製であり、第１の部材１１１と、第２の部材１１２とを有する。
【００２５】
第１の部材１１１は、四角柱形状の筒である。第１の部材１１１の長手方向の長さは１７９ミリメートルであり、当該長手方向と垂直な断面は一辺が３１ミリメートルで厚さが１．５ミリメートルの正方形状の枠である。なお、当該正方形状の枠の内側を構成する正方形の一辺の長さは、２８ミリメートルとなる。
【００２６】
第２の部材１１２は、四角柱形状の筒である。第２の部材１１２の長手方向の長さは１７８ミリメートルであり、当該長手方向と垂直な断面は一辺が２６ミリメートルで厚さが２ミリメートルの正方形状の枠である。なお、当該正方形状の枠の内側を構成する正方形の一辺の長さは、２１ミリメートルとなる。
【００２７】
第１の部材１１１と第２の部材１１２は、第１の部材１１１の下方から第２の部材１１２が４９ミリメートル挿入された位置で互いに溶接により固着されている。
【００２８】
第２の部材１１２の４つの側面のうち互いに対向する１組の２面には、幅方向（水平方向）中央で、下端から各々８０ミリメートルおよび３０．５ミリメートル上方の位置に、直径８．５ミリメートルの孔Ｈ１および孔Ｈ２が設けられている。これらの孔は、後述するように、上部構成部１１と下部構成部１２とを螺子アセンブリ１３により連結するために設けられている。
【００２９】
図３は下部構成部１２を示した図である。図３（ａ）は正面図であり、図３（ｂ）は上面図である。下部構成部１２は、第３の部材１２１と、キャスターアセンブリ１２２とを有している。キャスターアセンブリ１２２は、第３の部材１２１に螺子止めされて固着されている。
【００３０】
キャスターアセンブリ１２２は、第３の部材１２１に固着されて第３の部材１２１から相対的に動くことができない固着部と、キャスター部と、固着部とキャスター部との間に配置されキャスター部を固着部に対して旋回可能に連結するボールベアリングとを有している。ボールベアリングを介した旋回により、キャスター部は第３の部材１２１に対しその長手方向の軸周りに旋回可能である。なお、キャスターアセンブリ１２２のうち、キャスター部を除いた部分は例えばステンレス製である。
【００３１】
キャスター部は、車輪と、上述したボールベアリングに取り付けられ当該車輪の回転を許容しつつ上方からかかる負荷を支持するステンレス製の枠と、当該枠に取り付けられ車輪の回転および上述した第３の部材１２１に対するキャスター部の旋回を抑止するためのブレーキとを有している。
【００３２】
上述の車輪は、強化プラスチックの円板の外縁部をゴム製のタイヤで覆った構造を備えており、強化プラスチックの円板の中心部には枠が有する回転軸が貫通する孔が設けられている。その孔の側面、すなわち車輪が回転軸と接する部分はステンレス製のカバーで覆われている。
【００３３】
上述のブレーキは、上述のタイヤに接触して当該タイヤの回転を抑止するステンレス製のブレードと、上述の固着部の下面にキャスター部の旋回の軸を中心に放射状に等角度間隔で設けられた溝に嵌り込んでキャスター部の旋回を抑止するステンレス製のブレードと、これらの２つのブレードの位置をタイヤ部および固着部下面に接触するＯＮ位置とタイヤ部および固着部下面から離れたＯＦＦ位置との間で切り替えるためにユーザが操作する合成樹脂製のレバーとを有している。
【００３４】
第３の部材１２１は、四角柱形状の筒である。第３の部材１２１の長手方向の長さは１４７ミリメートルであり、当該長手方向と垂直な断面は一辺の長さが３１ミリメートルで厚さが１．５ミリメートルの正方形状の枠である。
【００３５】
第３の部材１２１の４つの側面のうち互いに対向する１組の２面には、幅方向（水平方向）中央で、上端から４９ミリメートル下方の位置に、直径１０ミリメートルの孔Ｈ３が設けられている。この孔は、後述するように、上部構成部１１と下部構成部１２とを螺子アセンブリ１３により連結するための孔である。
【００３６】
図４は、螺子アセンブリ１３の概略図である。螺子アセンブリ１３は、例えばステンレス製であり、ボルト１３１と、ボルト１３１に嵌合する蝶ナット１３２と、ボルト１３１に通される２枚のワッシャー１３３および１枚のスプリングワッシャー１３４とを有している。ボルト１３１は、軸方向の長さが５０ミリメートルであり、軸径が７ミリメートルである。
【００３７】
テーブル脚延長用器具１は、上部構成部１１の下端部を下部構成部１２の上方から差し込み、それらを螺子アセンブリ１３で固定することで組み立てられる。そのように組み立てられたテーブル脚延長用器具１に対し上方からテーブルの脚の下端部を挿入することにより、テーブルの脚に対するテーブル脚延長用器具１の取り付けが行われる。テーブルの脚の下端はテーブル脚延長用器具１の上部構成部１１の第２の部材１１２の上端にぶつかり、その位置でテーブル脚延長用器具１に支持される。
【００３８】
テーブル脚延長用器具１のうち、挿入されたテーブルの脚を側面から覆う部分は脚受け部を構成する。脚受け部はテーブルの脚とテーブル脚延長用器具１との水平方向のずれを防ぎ、テーブルの脚の長手方向とテーブル脚延長用器具１の長手方向とが一致した状態で両者の位置決めを行う役割を果たす部分である。脚受け部の長手方向の長さは１３０ミリメートルである。
【００３９】
また、テーブル脚延長用器具１のうち上述した脚受け部以外の部分は延長脚部を構成する。延長脚部はテーブルの脚にテーブル脚延長用器具１が取り付けられた状態でテーブルが使用される場合におけるテーブルの天板の位置を高めることに貢献する部分、すなわちテーブルの脚の長さを延長する役割を果たす部分である。
【００４０】
テーブル脚延長用器具１の組み立てにおいて、ユーザは下部構成部１２の孔Ｈ３の位置に対し上部構成部１１の孔Ｈ１と孔Ｈ２のいずれの位置を一致させるかにより、延長脚部の長手方向の長さ、すなわちテーブル脚延長用器具１により延長されるテーブルの脚の長さを選択できる。
【００４１】
具体的には、孔Ｈ１の位置と孔Ｈ３の位置が一致する状態でそれらの孔にボルト１３１を通し蝶ナット１３２で締め付けた場合、延長脚部の長さは約３００ミリメートルとなる。一方、孔Ｈ２の位置と孔Ｈ３の位置が一致する状態でそれらの孔にボルト１３１を通し蝶ナット１３２で締め付けた場合、延長脚部の長さは約３５０ミリメートルとなる。
【００４２】
このように、テーブル脚延長用器具１は、上部構成部１１と下部構成部１２との位置関係を変更することにより、延長脚部の長手方向の長さを２段階で調整する機構を備えている。
【００４３】
以上のような構成を有するテーブル脚延長用器具１の使用方法の一例を、以下に説明する。
【００４４】
先ず、上部構成部１１の下端部を下部構成部１２に上方から差し込み、テーブルの脚をどの程度延長したいかに応じて孔Ｈ３を孔Ｈ１と孔Ｈ２のいずれに合わせた後、上部構成部１１と下部構成部１２とを螺子アセンブリ１３で固定することによりテーブル脚延長用器具１を組み立てる。この作業をテーブルの脚の数だけ繰り返し、複数のテーブル脚延長用器具１を準備する。
【００４５】
次に、立ち会議用テーブルにしたいテーブルの脚の各々に、上記のように準備したテーブル脚延長用器具１を各々取り付ける。折りたたみ式の会議用テーブルの多くは、概ね２６ミリメートル角の脚を有している。テーブル脚延長用器具１の脚受け部の筒の内側のサイズは２８ミリメートルであり、２６ミリメートル角の脚に容易に取り付けることができる。なお、テーブルの脚は脚受け部の長さ、すなわち１３０ミリメートルだけテーブル脚延長用器具１に挿入された後、第２の部材１１２の上端にぶつかり、その位置で支えられる。
【００４６】
テーブルの脚の各々に対するテーブル脚延長用器具１の取り付けが完了すると、テーブル脚延長用器具１が下、テーブルの天板が上に位置するように、テーブルを床面上に設置する。このように設置されたテーブル脚延長用器具１付きの会議用テーブルは、天板の位置が通常の会議用テーブルと比べ約３００ミリメートルもしくは約３５０ミリメートル高く、立ち会議用テーブルとして好適である。
【００４７】
なお、テーブル脚延長用器具１付きの会議用テーブルは、上述したブレードがＯＦＦ位置にある場合、キャスターアセンブリ１２２の車輪の回転およびキャスター部の旋回によって水平方向に自由に移動可能である。また、テーブルの水平方向の位置を固定したい場合、ユーザは上述のレバーを下げることにより、当該車輪の回転およびキャスター部の旋回を抑止することができる。
【００４８】
上述した実施形態は、本発明の技術的思想の範囲内において様々に変形が可能である。
【００４９】
まず、上述した実施形態において示した各々の数値はあくまで例示であり、本発明の目的が達せられる限り自由に変更可能である。
【００５０】
例えば、テーブル脚延長用器具１の脚受け部の内側は一辺の長さが２８ミリメートルの正方形であるものとしたが、このサイズや形状はこれに限られない。ただし、広く普及している折りたたみ式の会議用テーブルの脚は上述したように概ね２６ミリメートル角が採用されているため、それらの会議用テーブルに対し用いられるテーブル脚延長用器具においては、脚受け部の内側は一辺の長さが２５ミリメートル以上かつ３５ミリメートル以下の正方形であることが望ましい。
【００５１】
また、テーブル脚延長用器具１が有する延長脚部の長さは約３００ミリメートルもしくは約３５０ミリメートルであるものとしたが、通常の着座用のテーブルを立ち会議用のテーブルに変更するためには、延長脚部の長さは２５０ミリメートル以上かつ４００ミリメートル以下の範囲であればいずれが採用されてもよい。
【００５２】
また、テーブル脚延長用器具１が有する脚受け部の長さは１３０ミリメートルであるものとしたが、使用時にテーブルの脚がテーブル脚延長用器具１から外れたり、テーブルの脚とテーブル脚延長用器具１との接続部分でそれらが大きく屈曲したりすることがない程度の十分な長さである限り、脚受け部の長さは任意に変更可能である。例えば、広く普及している折りたたみ式の会議用テーブルに取り付けられる場合、脚受け部の長さは１００ミリメートル以上であることが望ましい。
【００５３】
また、上述した実施形態において、脚受け部に挿入されるテーブルの脚の下端は第２の部材１１２の上端にぶつかってその位置で下方から第２の部材１１２により支持されるものとしたが、テーブルの脚のサイズが第２の部材１１２の内側のサイズより小さい場合、テーブルの脚が第２の部材１１２の内側に嵌り込み、第２の部材１１２により支持されない、という不都合が生じる。従って、例えば第２の部材１１２の上面を一辺の長さが２６ミリメートルの正方形のステンレス製の板で塞ぐ等により細いテーブルの脚に対しても上部構成部１１の取り付けを可能としてもよい。
【００５４】
また、テーブルの脚を支持する部分は第２の部材１１２の上端に限られず、例えば第１の部材１１１の内側面から内側方向に突起する突起部を設け、当該突起部によりテーブルの脚を支持する等、他の構造によりテーブルの脚を支持可能としてもよい。
【００５５】
また、テーブル脚延長用器具１は、上部構成部１１と下部構成部１２と螺子アセンブリ１３とを備えるものとしたが、延長脚部の長さを調整する必要がなければこれら複数の部品により組み立てられる代わりに、はじめから１つの完成した器具として製造されてもよいし、不使用時にコンパクトに収納することを可能とするために上部構成部、中部構成部、下部構成部のように数多くの部品の組み立てによりテーブル脚延長用器具１が実現されるようにしてもよい。
【００５６】
また、上部構成部１１と下部構成部１２とを連結する方法もそれらに設けられた孔に螺子アセンブリ１３を取り付ける方法に限られず、他の様々な連結方法が本発明において採用可能である。
【００５７】
さらに、テーブル脚延長用器具１を構成する部品の形状や構造も様々に変更可能である。例えば、上述した実施形態において上部構成部１１は第１の部材１１１と第２の部材１１２とにより構成されるものとしたがそれに限られない。また、第１の部材１１１、第２の部材１１２および第３の部材１２１は四角柱形状の筒であるとしたが、脚受け部の形状がテーブルの脚の形状に適合する限り、それらの形状は任意に変更可能である。
【００５８】
また、上述した実施形態においては、テーブル脚延長用器具１の取り付けられたテーブルを水平方向に自由に移動可能とするために、テーブル脚延長用器具１がキャスターアセンブリ１２２を有するものとしたが、水平方向の移動を要さない場合には、第３の部材１２１の下端部にキャスターアセンブリ１２２に代えて例えば合成樹脂製のカバーが取り付けられてもよい。
【００５９】
また、上述した実施形態において示した各構成部の材料も例示であって、強度上および機能上の問題がない範囲で自由に変更可能である。例えば、ステンレス製であるものとした構成部の材料をステンレス以外の金属や強化プラスチック等の他の材料で代えてもよい。
【００６０】
また、上述した実施形態においては、テーブルの脚が脚受け部に挿入されるのみであったため、テーブルの脚の外側と脚受け部の内側との間に隙間が生じ、テーブル本体を持ち上げた場合にテーブル脚延長用器具１が自重によりテーブルの脚から抜け落ちる可能性がある。そのような不都合を回避するために、脚受け部に挿入されたテーブルの脚を脚受け部に固定するための機構をテーブル脚延長用器具１に設けるようにしてもよい。
【００６１】
図５は、そのような固定機構の一例を示した図である。当該固定機構は、脚受け部を構成する第１の部材１１１の一側面を貫通するように設けられ、その内側面に雌螺子が切られることによりナットの役割を果たす孔Ｈ４と、孔Ｈ４に嵌合するボルト１４１と、ボルト１４１の軸の先端に当該軸周りに回転可能に取り付けられた平板な押さえ板１４２とを有している。なお、第１の部材１１１の側面が薄く、孔Ｈ４の側面に十分なねじ切りができない場合、図５に示すように、孔Ｈ４の外縁部から第１の部材１１１の外側に隆起する円筒形の隆起部を設け、その内側面にねじ切りをしてもよい。
【００６２】
以上のような固定機構を備えるテーブル脚延長用器具１をテーブルの脚（図５における脚Ｌ）に取り付けた後、ボルト１４１を内側にねじ込んでいけば、押さえ板１４２が図５の右方向に移動しテーブルの脚を第１の部材１１１の図５における右側の側面との間で挟み込む。その結果、テーブルの脚とテーブル脚延長用器具１とが固定されることとなる。
【００６３】
なお、テーブルの脚の表面が傷つくことを防止するために、押さえ板１４２がテーブルの脚に接する面と、第１の部材１１１の内面の押さえ板１４２に対向する部分とに、例えば平板な硬質ゴム等の緩衝材を配置してもよい。
【００６４】
このような固定機構を備えるテーブル脚延長用器具１においては、脚受け部の内面のサイズに対しかなり小さいサイズの脚を有するテーブルに対してもテーブル脚延長用器具１を取り付け安定させることができる。
【００６５】
また、上述した実施形態においては、上部構成部１１と下部構成部１２との位置関係を変更することによりテーブルの脚の延長の長さを２段階で調節可能としたが、延長のための長さ調整機構としては様々なものが採用可能であり、それらに応じて調節を無段階にしたり、多数の段階数にしたりしてもよい。
【００６６】
図６は、上述した実施形態において採用されていた長さ調整機構とは異なる長さ調整機構の一例を説明する図である。当該長さ調整機構は、第３の部材１２１の一側面の外側に設けられた軸受け部１５１と、長手方向に対し「く」の字型にやや屈曲した幅２０ミリメートルおよび厚さ２ミリメートルの板状のレバー１５２と、軸受け部１５１に設けられた環状部とレバー１５２の屈曲部に設けられた環状部とを貫通しそれらを回転可能に連結する軸部１５３と、コイル軸に軸部１５３が通された状態でレバー１５２と第３の部材１２１の側面外側との間に配置されレバー１５２に対し軸部１５３の軸周りに図６の矢印ａの方向に付勢するねじりバネ１５４とを有している。
【００６７】
また、第３の部材１２１の側面外側のねじりバネ１５４による付勢によりレバー１５２の一方の端部が押しつけられる位置には、水平方向の長さ約２２ミリメートルおよび高さ方向の長さ約３ミリメートルの長方形の孔Ｈ５が設けられている。さらに、第２の部材１１２の一側面の外側には、水平方向に延び、高さ方向に等間隔に並ぶように深さ約２ミリメートルの複数の溝Ｃ１が刻まれている。
【００６８】
また、ねじりバネ１５４の付勢によりレバー１５２のうち第３の部材１２１の側面外側に押し付けられる側の端部は、第３の部材１２１の内側方向に屈曲しており、孔Ｈ５を通って第３の部材１２１の内側に約２ミリメートル突出する形状に加工されている。以下、レバー１５２のうち第３の部材１２１の内側に突出する部分をブレード１５２１と呼ぶ。
【００６９】
上記のような構成の長さ調整機構を備えるテーブル脚延長用器具１においては、レバー１５２を矢印ａと逆の方向に押すことでいずれかの溝Ｃ１に噛み合っていたブレード１５２１をリリースし、第２の部材１１２の第３の部材１２１に対する位置関係を変更した後、レバー１５２を押す力を解放してブレード１５２１をいずれかの溝Ｃ１に噛み合わせることにより、延長脚部の長さを調整することができる。
【００７０】
このような長さ調整機構を備えるテーブル脚延長用器具１においては、工具を用いることなくレバーの操作により容易に延長脚部の長さを調整することができる。
【産業上の利用可能性】
【００７１】
本発明にかかるテーブル脚延長用器具は、着座用のテーブルを有し立ち会議用のテーブルを必要としている全てのユーザにとって利用可能である。
【符号の説明】
【００７２】
１…テーブル脚延長用器具、１１…上部構成部、１２…下部構成部、１３…螺子アセンブリ、１１１…第１の部材、１１２…第２の部材、１２１…第３の部材、１２２…キャスターアセンブリ、１３１…ボルト、１３２…蝶ナット、１３３…ワッシャー、１３４…スプリングワッシャー、１４１…ボルト、１４２…押さえ板、１５１…軸受け部、１５２…レバー、１５３…軸部、１５４…ねじりバネ
【図１】
2011083337.tif 000003
【図２】
2011083337.tif 000004
【図３】
2011083337.tif 000005
【図４】
2011083337.tif 000006
【図５】
2011083337.tif 000007
【図６】
2011083337.tif 000008